(57)【要約】【課題】バッフルが設けられた回転ドラムを備えたコーティング装置において、粉粒体に対する混合性能を向上させること。【解決手段】コーティング装置は、水平の軸線回りに回転駆動される回転ドラムを備える。周壁部２に上段バッフル８と下段バッフル９が配置される。上段バッフル８と下段バッフル９の延在方向は、回転ドラムの周方向に対して相互に逆向きに傾斜している。上段バッフル８の下端の高さが、下段バッフル９の上端の高さ以上である。【選択図】図１
2014004528.tif 000002
【特許請求の範囲】
【請求項１】
処理すべき粉粒体が内部に収容され、その水平の軸線回りに回転駆動される回転ドラムを備え、前記回転ドラムの周壁部の内面に前記粉粒体を撹拌する板状のバッフルが設けられたコーティング装置において、
前記バッフルは、前記回転ドラムの周方向に所定間隔で配置された複数の上段バッフルと下段バッフルで構成され、
前記上段バッフルと下段バッフルの延在方向が、前記回転ドラムの周方向に対して相互に逆向きに傾斜しており、
前記上段バッフルの下端の高さが、前記下段バッフルの上端の高さ以上であることを特徴とするコーティング装置。
【請求項２】
前記上段バッフルの総面積が、前記下段バッフルの総面積より小さい請求項１に記載のコーティング装置。
【請求項３】
前記下段バッフルの総面積に対する前記上段バッフルの総面積の比率が、１／３．０〜１／４．０である請求項２に記載のコーティング装置。
【請求項４】
前記下段バッフルの延在方向長さが上段バッフルの延在方向長さより長い請求項３に記載のコーティング装置。
【請求項５】
前記上段バッフルと下段バッフルの幅が相互に同一である請求項４に記載のコーティング装置。
【請求項６】
前記周壁部における前記バッフルが配置された領域を、周方向に沿って分割することによって軸線方向の長さが相互に等しい複数の区画とした場合、前記区画に存在する上段バッフルと下段バッフルの数が前記区画間で相互に同一である請求項１〜５の何れか１項に記載のコーティング装置。
【請求項７】
前記上段バッフルの先端部が、前記粉粒体が処理される時の前記回転ドラムの回転方向後方に傾斜している請求項１〜６の何れか１項に記載のコーティング装置。
【請求項８】
前記上段バッフルが回転ドラムの外部から高さ調整可能である請求項１〜７の何れか１項に記載のコーティング装置。
【請求項９】
前記周壁部に、前記バッフルを配置した周方向に延びる単位領域が軸線方向に複数配列された請求項１〜８の何れか１項に記載のコーティング装置。
【発明の詳細な説明】
【技術分野】
【０００１】
本発明は、医薬品、食品、農薬等の粉粒体のコーティング、混合、乾燥等を行なうコーティング装置に関し、特に、軸線回りに回転駆動される回転ドラムを備えたコーティング装置に関する。
【背景技術】
【０００２】
医薬品、食品、農薬等の錠剤、ソフトカプセル、ペレット、顆粒、その他これらに類するもの（以下、これらを総称して粉粒体という。）にフィルムコーティングや糖衣コーティング等を施すために、回転ドラムを備えたコーティング装置が使用されている。
【０００３】
この種のコーティング装置は、例えば下記の特許文献１〜４に開示されている。
【０００４】
特許文献１は、水平な軸線回りに回転駆動される通気式の回転ドラムを備えたコーティング装置を開示している。回転ドラムの周壁部は多角形の横断面形状を有し、多角形の各辺に対応する周壁部の辺壁部は多孔部によって通気性が与えられている。そして、周壁部の各辺壁部の外周側にそれぞれジャケットが装着され、ジャケットと周壁部の各辺壁部との間にそれぞれ通気チャンネルが形成される。また、回転ドラムにおけるモータ等の回転駆動機構が設置されている側には、回転ドラムに対する乾燥エア等の処理気体の通気を制御する通気機構が配備されている。この通気機構は、回転ドラムの回転に伴って所定位置に来た通気チャンネルをそれぞれ給気ダクトと排気ダクトに連通させる機能を有する。
【０００５】
特許文献２、３は、いわゆるジャケットレス構造のコーティング装置を開示している。特許文献２の第１図に示されているコーティング装置の回転ドラムは、横断面形状が多角形の周壁部を備えている。回転ドラムの周壁部の各辺壁部は多孔部によって通気性が与えられている。多角形の周壁部の各頂部にはそれぞれ仕切板が設けられ、また、周壁部の軸線方向両端部には摺動枠が設けられている。周壁部の各辺壁部と、仕切板及び摺動枠とによって、区画された通気空間が形成される。回転ドラムは外側ケーシングの内部に収容されており、外側ケーシングの上部側と下部側に給排気部が設けられている。下部側の排気部にはゴムや合成樹脂等で形成されたシール板が設けられており、回転ドラムの回転に伴い、周壁部の仕切板と摺動枠がシール板と摺接することにより、外側ケーシングの内部空間の空気が回転ドラム内の粉粒体の乾燥に寄与することなく排気されることを防止する。周壁部の上方部分は、外側ケーシングの内部空間に開放されている。上部側の給気部から外側ケーシングの内部空間に給気された乾燥気体は、周壁部の上方部分の多孔部を通って回転ドラム内に入り、回転ドラム内の粉粒体層を通過した後、回転ドラムの回転に伴い下部側の排気部の位置に来た通気空間を介して排気部に排気される。特許文献２の第２図に示されているコーティング装置の回転ドラムは、横断面形状が円形の周壁部を備えている。また、給気部と排気部の側にそれぞれ断面円弧状のシール板が設けられている。特許文献３も、特許文献２と同様の基本構造を有するジャケットレス構造のコーティング装置を開示している。
【０００６】
特許文献４は、水平線に対して所定角度をなした軸線回りに回転駆動される通気式の回転ドラムを備えたコーティング装置を開示している。このコーティング装置では、回転ドラムは、給気ダクトと排気ダクトが設けられたケーシング内に収容されている。回転ドラムは、その傾斜上方側に位置する一端には開口部が設けられ、傾斜下方側に位置する他端には、多孔部によって通気性が与えられているプレートが設けられている。そして、乾燥エア等の処理気体は、ケーシングの給気ダクトから回転ドラムの開口部を介して回転ドラム内に流入する。そして、この処理気体は、回転ドラム内の粉粒体層を通過した後、回転ドラムの他端のプレートを介してケーシングの排気ダクトに流出する。
【先行技術文献】
【特許文献】
【０００７】
【特許文献１】特開２００１−５８１２５号公報
【特許文献２】特公平７−６３６０８号公報
【特許文献３】特開２００８−２５３９１０号公報
【特許文献４】特開２００４−１４８２９２号公報
【発明の概要】
【発明が解決しようとする課題】
【０００８】
ところで、これらのコーティング装置では、粉粒体層の撹拌混合効果を高めるために、回転ドラムの内側にいわゆるバッフル（撹拌羽根）が設けられている場合が多い。このようなバッフルを内側に設けた回転ドラムを備えたコーティング装置は、既に様々なものが開発されているが、その粉粒体に対する混合性能には、まだ改良の余地があった。
【０００９】
本発明は、上記事情に鑑み、バッフルが設けられた回転ドラムを備えたコーティング装置において、粉粒体に対する混合性能を向上させることを課題とする。
【課題を解決するための手段】
【００１０】
前記課題を解決するために創案された本発明のコーティング装置は、処理すべき粉粒体が内部に収容され、その水平の軸線回りに回転駆動される回転ドラムを備え、前記回転ドラムの周壁部の内面に前記粉粒体を撹拌する板状のバッフルが設けられたコーティング装置において、前記バッフルは、前記回転ドラムの周方向に所定間隔で配置された複数の上段バッフルと下段バッフルで構成され、前記上段バッフルと下段バッフルの延在方向が、前記回転ドラムの周方向に対して相互に逆向きに傾斜しており、前記上段バッフルの下端の高さが、前記下段バッフルの上端の高さ以上であることを特徴とする。
【００１１】
ここで、バッフルやその上端、下端の高さは、周壁部の内面からの高さである（以下同じ）。
【００１２】
この構成では、上段と下段の２段のバッフルが配置されている。下段バッフルによって、粉粒体の転動層の停滞領域を撹拌し、粉粒体を移動させることができる。そして、上段バッフルにより、粉粒体の表層エリアを撹拌し、粉粒体の転動（粉粒体の１個ごと反転や回転）を促進し、且つ、粉粒体を移動させることができる。従って、粉粒体層全体を最適に撹拌混合することが可能となる。
【００１３】
また、この構成では、上段バッフルと下段バッフルの延在方向が、回転ドラムの周方向に対して相互に逆向きに傾斜している。このため、上段バッフルと下段バッフルのそれぞれによって粉粒体が逆向きに移動され、粉粒体の転動層の上層部と下層部との間にせん断力が与えられ、粉粒体１個毎の入れ替わりを促進することができる。
【００１４】
そして、この構成では、上段バッフルの下端の高さが、下段バッフルの上端の高さ以上である。これによって、上段バッフルと下段バッフルのそれぞれによる粉粒体の移動方向やその他の粉粒体に対する作用に明確な差異を生じさせることができる。すなわち、上段バッフルと下段バッフルのそれぞれの混合機能を明確に分離することができる。これによって、粉粒体層を効率的に撹拌混合することが可能となる。
【００１５】
このような理由により、この構成のコーティング装置では、粉粒体層の混合性能を向上させることが可能である。
【００１６】
上記の構成において、前記上段バッフルの総面積が、前記下段バッフルの総面積より小さくてもよい。
【００１７】
上段バッフルの方が下段バッフルより混合性能が高いことが実験で分かっているので、上段バッフルの総面積が下段バッフルの総面積より小さければ、バッフル全体の混合性能を最適にすることが可能である。このようにバッフル全体の混合性能を最適にするためには、下段バッフルの総面積に対する上段バッフルの総面積の比率は、１／３．０〜１／４．０であることが好ましい。
【００１８】
上段バッフルの総面積と下段バッフルの総面積がこのような関係をなすために、下段バッフルの延在方向長さが上段バッフルの延在方向長さより長いことや上段バッフルと下段バッフルの幅が相互に同一であることが考えられる。
【００１９】
特に、粉粒体層の表層側では粉粒体が移動させ易く、これに対して下層側では、粉粒体が粉粒体層の圧力によって移動させ難いため、下段バッフルの延在方向長さが上段バッフルの延在方向長さより長いことが好ましい。
【００２０】
上記の構成において、前記周壁部における前記バッフルが配置された領域を、周方向に沿って分割することによって軸線方向の長さが相互に等しい複数の区画とした場合、前記区画に存在する上段バッフルと下段バッフルの数が前記区画間で相互に同一であってもよい。このようになっていれば、区画の間で粉粒体の混合性が同等となり、混合性を均質化させることができる。
【００２１】
上記の構成において、前記上段バッフルの先端部が、前記粉粒体が処理される時の前記回転ドラムの回転方向後方に傾斜していてもよい。このようになっていれば、処理中の粉粒体がバッフルの先端部に垂直に衝突することを抑制でき、これにより粉粒体の割れや欠けを抑制できる。
【００２２】
上記の構成において、前記上段バッフルが回転ドラムの外部から高さ調整可能であってもよい。
【００２３】
この構成であれば、処理すべき粉粒体の量が増減した場合に、上段バッフルの高さを変更することで対応することができる。しかも、上段バッフルの下端の高さが、下段バッフルの上端の高さ以上であるので上段バッフルと下段バッフルの機能が分離されている。従って、上段バッフルの下端の高さが、下段バッフルの上端の高さ以上であるという条件で、上段バッフルの高さを変更しても、上段バッフルの混合性能に対する下段バッフルの影響は少なく、上段バッフルの混合性能の変化が少ない。従って、粉粒体の混合に関するその他の条件を調整する必要が少なく、その結果、粉粒体量の増減に対する許容幅を大きくすることができる。
【００２４】
また、このバッフルの高さの調整は、回転ドラムの外部から実施することができるので、この調整のために人が回転ドラムの中に入る必要が無い。従って、バッフルの高さ調整のための作業が容易となり、一人でも作業ができ、また、作業時間を短いものとすることができる。また、バッフルの高さ調整のための作業の後に洗浄を行なう必要が無いので、この洗浄に要する時間やコストも不要となる。
【００２５】
また、上段バッフルと下段バッフルと２段のバッフル構成であるので、上段バッフルのみを高さ調整可能とすれば、下段バッフルの高さを調整する必要が無い。従って、高さ調整手段を全てのバッフルに設けなくても良く、また、高さ調整作業を全てのバッフルに対して実施する必要がなくなるので、コスト削減や作業効率向上が可能である。
【００２６】
上記の構成において、前記周壁部に、前記バッフルを配置した周方向に延びる単位領域が軸線方向に複数配列されてもよい。
【００２７】
ここで、各単位領域におけるバッフルの配置、形状及び寸法は、単位領域の間で相互に同一である。そして、このバッフルの配置とは、少なくとも、位置、向き、数を含む概念である。
【００２８】
この構成では、単位領域の周壁部における軸線方向の配列数を変更することによって回転ドラムをスケールアップ又はスケールダウンすることができる。このように、単位領域の軸線方向の配列数を変更すれば、単位領域の配列数に比例して回転ドラムの処理容量を増加又は減少させることができる。これに対して、回転ドラムの径方向寸法を変更しなければ、単位領域で混合される粉粒体量はほとんど変化しないので、粉粒体の混合性はほとんど変化しない。すなわち、この設計方法によれば、混合性が変化することを抑制しつつ回転ドラムをスケールアップ又はスケールダウンすることができる。
【発明の効果】
【００２９】
本発明によれば、バッフルが設けられた回転ドラムを備えたコーティング装置において、粉粒体に対する混合性能を向上させることができる。
【図面の簡単な説明】
【００３０】
【図１】本発明の実施形態に係る回転ドラムにおける側壁部の内面側の概略展開図である。
【図２】図１のＡ−Ａ線矢視断面図である。
【図３】上段バッフル周辺を示す部分断面図（図２と同じ方向から見た図）である。
【図４】高さ調整ピンを示す図で、（Ａ）が図３で使用されている高さ調整ピン、（Ｂ）が交換のために用意されている高さ調整ピンを示す。
【図５】従来の回転ドラム内での粉粒体の動きを示す径方向断面図である。
【図６】上段バッフルの他例を示す図で、（Ａ）が側面図、（Ｂ）が正面図である。
【図７】スケールアップした回転ドラムにおける側壁部の内面側の概略展開図である。
【図８】スケールアップした回転ドラムの運転状態を模式的に示す軸線方向断面図である。
【図９】スケールアップした回転ドラムの変形例における側壁部の内面側の概略展開図である。
【図１０】第１変形例に係るバッフル周辺を示す部分断面正面図である。
【図１１】図１０の右側から見た部分断面側面図である。
【図１２】第１変形例に係る基板の平面図である。
【図１３】第２変形例に係るバッフル周辺を示す部分断面正面図である。
【図１４】第２変形例に係る取り付け部材を示す図で、（Ａ）が正面図で、（Ｂ）が（Ａ）の右側から見た側面図である。
【図１５】第２変形例に係るバッフルの傾斜の状態を示す図１３の右側から見た図で、（Ａ）が傾斜していない（傾斜角度０°）状態、（Ｂ）が傾斜角度３０°の状態、（Ｃ）が傾斜角度４５°の状態、（Ｄ）が傾斜角度６０°の状態を示す。
【図１６】第３変形例に係るバッフル周辺を示す部分断面正面図である。
【図１７】第３変形例に係る軸支持部を示す図で、図１６の右側から見た側面図である。
【図１８】第３変形例に係るバッフルの傾斜の状態を示す図１６の右側から見た図で、（Ａ）が傾斜していない（傾斜角度０°）状態、（Ｂ）が傾斜角度３０°の状態、（Ｃ）が傾斜角度４５°の状態、（Ｄ）が傾斜角度６０°の状態を示す。
【図１９】（Ａ）が第４変形例に係るバッフル周辺を示す断面図で、（Ｂ）が交換のために用意されているバッフルを示す。
【発明を実施するための形態】
【００３１】
以下、本発明を実施するための形態について図面に基づき説明する。
【００３２】
図１は、本発明の実施形態に係る回転ドラムにおける側壁部の内面側の概略展開図である。
【００３３】
本実施形態のコーティング装置は、いわゆるジャケットレス構造のパンコーティング装置で、処理すべき粉粒体が内部に収容され、水平な軸線回りに回転駆動される通気式の回転ドラムを備える。回転ドラムの軸線方向の一端には、回転ドラムに対して粉粒体の供給及び排出を行なう開口部が設けられ、他端には、底壁部が設けられ、この底壁部に回転ドラムを回転駆動させる駆動軸が取り付けられる。
【００３４】
図１に示すように、回転ドラムの側壁部１は、周壁部２と、端部３，４と、周壁部２と端部３，４とを接続する端壁部５，６とを主要な構成要素とする。端部３は、上述の回転ドラムの開口部を構成する。端部４には、上述の底壁部が設けられる。
【００３５】
周壁部２は、側壁部１の軸線方向中間に、周方向に沿って軸線に平行に形成される。周壁部２の内面には、粉粒体層の撹拌混合効果を高めるために、本実施形態では、周壁部の内面からの高さが相対的に高い上段バッフル８と低い下段バッフル９との２種類のバッフルが設けられている（図２参照）。周壁部２は、バッフル８，９が配置されている単位領域Ｕと、単位領域Ｕの軸線方向両側に存在するバッフル８，９が配置されていない領域Ｘとに周方向に沿って区分される。
【００３６】
本実施形態では、周壁部２は、その横断面形状が１２角形であり、この１２角形の各辺に対応する１２の矩形平板状の辺壁部７で構成されている。そして、周壁部２の各辺壁部７は、多孔板で構成され、通気性を有する。
【００３７】
図示例では、周壁部２に、上段バッフル８は、８枚設置されており全て同一形状及び同一寸法であり、下段バッフル９は、４枚設置されており全て同一形状及び同一寸法である。本実施形態では、上段バッフル８と下段バッフル９は共に、平板状であり、辺壁部７に対して垂直になるように設けられている。上段バッフル８は、一対の側辺が上端８ａに向かって漸次接近する略台形状の板状である（図２参照）。後で詳述するが、上段バッフル８は、辺壁部７の内面からの高さが調整可能である。これに対して、下段バッフル９は、辺壁部７に対して固定されており、辺壁部７の内面からの高さは変更できない。
【００３８】
周壁部２において、４枚の下段バッフル９は、周方向等間隔に設けられている。また、各下段バッフル９は、４つの辺壁部７に亘って、周壁部２の端壁部５側端縁近傍から端壁部６側の端縁近傍まで延在する。周方向に隣接する下段バッフル９の端部は、同一の辺壁部７に設けられている。そして、下段バッフル９の間のそれぞれに、２枚ずつ上段バッフル８が設けられている。上段バッフル８のそれぞれは、別の辺壁部７に設けられている。各上段バッフル８は、辺壁部７内で、周方向一端側近傍から他端側近傍に延在する。
【００３９】
上段バッフル８と下段バッフル９は共に、その延在方向が、回転ドラムの周方向（図１の横方向）に対して同一角度で傾斜しているが、それらの傾斜の向きは相互に逆である。この延在方向の周方向に対する傾斜角度は、例えば１５〜２５°である。また、上段バッフル８の延在方向中央は、辺壁部７の周方向中央に位置する。下段バッフル９の延在方向中央は、４つの辺壁部７における周方向中央側で隣接する辺壁部７の境界線上に位置する。
【００４０】
周壁部２における単位領域Ｕを、図１に２点鎖線で示すように周方向に沿って分割することによって軸線方向の長さが相互に等しい複数（図１では４つ）の区画Ｓとした場合、区画Ｓに存在する上段バッフル８と下段バッフル９の数が区画Ｓの間で相互に同一である。図１では、各区画Ｓには、２枚の上段バッフル８と４枚の下段バッフル９とが存在している。
【００４１】
本実施形態では、端壁部５は、端壁部５の周壁部２側の端縁を底辺とする１２の三角形状面と、端壁部５の端部３側の端縁を底辺とする１２の三角形状面とで構成される。端壁部６は、端壁部６の周壁部２側の端縁を底辺とする１２の三角形状面と、端壁部６の端部４側の端縁を底辺とする１２の三角形状面とで構成される。端壁部５には、粉粒体を排出する際に粉粒体を案内する排出プレート１０が、本実施形態では４枚設けられている。これら４枚の排出プレート１０は周方向等間隔に設けられている。各排出プレート１０は、４つの三角形状面に亘って、端壁部５の周壁部２側の端縁から端壁部５の端部３側の端縁まで延在し、その延在方向は、回転ドラムの周方向（図１の横方向）に対して傾斜している。排出プレート１０の回転ドラムの周方向に対する傾斜の向きは、下段バッフル９の傾斜の向きと同じである。
【００４２】
本実施形態の回転ドラムは、粉粒体の処理中には、図１に白矢印で示す方向に回転する。この時、上段バッフル８と下段バッフル９の延在方向が、回転ドラムの周方向に対して相互に逆向きに傾斜しているため、次のような効果が得られる。上段バッフル８と下段バッフル９のそれぞれによって粉粒体が逆向きに移動され、粉粒体の転動層の上層部と下層部との間にせん断力が与えられ、粉粒体１個毎の入れ替わりを促進することができる。
【００４３】
回転ドラムから粉粒体を排出する時には、図１の白矢印とは反対方向に回転ドラムは回転する。粉粒体は、下段バッフル９によって端壁部５に移動し、更に、端壁部５では、排出プレート１０に案内されて端部３まで移動し、端部３に溜まった後、後続の粉粒体に押し出されて開口部から排出される。
【００４４】
次に、上段バッフル８と下段バッフル９について、更に詳述する。
【００４５】
図２に示すように、辺壁部７の内面からの上段バッフル８の上端８ａの高さＨ１は、下段バッフル９の上端９ａの高さＨ２より高い。そして、上段バッフル８は、辺壁部７の内面に、高さ調整ピン１２等を介して固定され、辺壁部７の内面との間に隙間を有する（図３参照）。一方、下段バッフル９は、その下端が辺壁部７の内面に直接固定され、辺壁部７の内面との間に隙間を有さない。なお、ここで高さの方向あるいは上下方向は、辺壁部７に対して垂直な方向である（特に説明の無い限り、以下同じ）。また、上と下は、図中での上下を意味し、回転ドラムの回転状態によって、実際の上下とは異なる（特に説明の無い限り、以下同じ）。
【００４６】
また、上段バッフル８の下端８ｂの高さＨ１’は、下段バッフル９の上端９ａの高さＨ２以上であり、本実施形態では、下端８ｂの高さＨ１’は上端９ａの高さＨ２より高い。また、本実施形態では、上段バッフル８の幅Ｗ１は、下段バッフル９の幅Ｗ２と同一である。
【００４７】
本実施形態では、上段バッフル８の総面積は、下段バッフル９の総面積より小さく、下段バッフル９の総面積に対する上段バッフル８の総面積の比率は、１／３．０〜１／４．０であることが好ましい。
【００４８】
図３に示すように、本発明のコーティング装置には、辺壁部７の内面からの上段バッフル８の上端８ａの高さＨ１を回転ドラムの外部から調整可能な高さ調整手段１１が設けられている。本実施形態では、高さ調整手段１１で、高さ方向に沿って上段バッフル８の位置を変更することによって、上段バッフル８の高さＨ１を調整する。高さ調整手段１１は、回転ドラムの辺壁部７を進退自在に貫通する高さ調整ピン１２を有する。以下に詳述するように、高さ調整ピン１２は、その一端部１２ａが上段バッフル８に着脱自在に装着され、他端部１２ｂが回転ドラムの外側に着脱自在に装着され、該高さ調整ピン１２を長さの異なる高さ調整ピンに交換することによって、高さ方向に沿って上段バッフル８の位置を変更する。
【００４９】
図４（Ａ）に示すように、高さ調整ピン１２は、一端部１２ａと、他端部１２ｂと、一端部１２ａから他端部１２ｂまで高さ方向に沿って延在する断面円形状の棒状の本体部１２ｃから構成される。一端部１２ａには、雄ネジが形成されている。他端部１２ｂには、本体部１２ｃに対して径方向外側に突出した断面六角形状のフランジが設けられている。
【００５０】
図３に示すように、上段バッフル８の下端には、相互に離隔して、一対のピン受け部８ｃが設けられている。このピン受け部８ｃは断面円形状の棒状で、その上端側は上段バッフル８に例えば溶接等で固定されている。ピン受け部８ｃの下端には、高さ調整ピン１２の一端部１２ａの雄ネジと螺合する雌ネジが内周面に形成されたネジ穴８ｄが設けられている。ピン受け部８ｃの外径と高さ調整ピン１２の本体部１２ｃの外径は同一である。
【００５１】
辺壁部７には、相互に離隔して一対の貫通孔７ａが設けてあり、辺壁部７の外側における貫通孔７ａの周縁には、取り付けボス１３が例えば溶接等で固定されている。取り付けボス１３の外周には雄ネジが形成されている。そして、取り付けボス１３には、取り付けボス１３の雄ネジが螺合する雌ネジがネジ孔に形成された断面六角形状の固定ナット１４が取り付けられている。取り付けボス１３の下端面と固定ナット１４のネジ孔の底面との間に、高さ調整ピン１２の他端部１２ｂのフランジが挟持固定されている。貫通孔７ａと取り付けボス１３の内径は、高さ調整ピン１２と上段バッフル８のピン受け部８ｃが辺壁部７に対して進退自在となるように、高さ調整ピン１２と上段バッフル８のピン受け部８ｃの外径より少し大きく設定されている。
【００５２】
図４（Ａ）に示す高さ調整ピン１２に対して、その本体部１２ｃの長さＬが異なるもの、例えば、図４（Ｂ）に示すように本体部１２ｃの長さＬが０である（本体部１２ｃを有さない）高さ調整ピン１２’が別途用意されている。一対の高さ調整ピン１２を、一対の高さ調整ピン１２’に交換することによって、高さ方向に沿って上段バッフル８の位置は変更され、上段バッフル８の高さが調整される。ここでは、高さ調整ピン１２を高さ調整ピン１２’に交換することによって、上段バッフル８の高さＨ１を変更する場合を以下に説明する。
【００５３】
まず、図３に示す状態から、一対の固定ナット１４の両方を、取り付けボス１３から取り外す。次に、一対の高さ調整ピン１２を、同時に外側に引き出すことによって、図３の二点鎖線で示すように、上段バッフル８を、その下端８ｂが辺壁部７に当接するまで下方に移動させる。この状態では、上段バッフル８の一対のピン受け部８ｃは、貫通孔７ａ及び取り付けボス１３内に嵌合しており、ピン受け部８ｃの下端面と、取り付けボス１３の下端面は同一の高さ方向位置となっている。
【００５４】
そして、高さ調整ピン１２の他端部１２ｂのフランジを六角レンチ等で回転させ、高さ調整ピン１２の一端部１２ａの雄ネジと、上段バッフル８のピン受け部８ｃにおけるネジ穴８ｄの雌ねじとの螺合を解除することによって、高さ調整ピン１２を上段バッフル８から取り外す。そして、この高さ調整ピン１２を高さ調整ピン１２’に交換して、この高さ調整ピン１２’の他端部１２ｂのフランジを六角レンチ等で回転させることによって、一端部１２ａの雄ネジをピン受け部８ｃの雌ネジに螺合させる。その後、固定ナット１４を回転させて取り付けボス１３に取り付けることで、上段バッフル８は図３に二点鎖線で示す下端８ｂが辺壁部７に当接した状態で固定される。この状態で、辺壁部７の内面からの上段バッフル８の上端８ａの高さはＨ３である。これで、上段バッフル８の高さＨ１から高さＨ３への変更作業は完了する。なお、以上の説明と同様にして、本体部１２ｃの長さＬが高さ調整ピン１２’とは異なる高さ調整ピンに交換すれば、上段バッフル８を異なる高さとすることができる。
【００５５】
上段バッフル８は、高さＨ１の状態でも高さＨ３の状態でも、辺壁部７に対して垂直な方向に沿っている。また、本実施形態では、上段バッフル８の幅Ｗ１が下段バッフル９の幅Ｗ２に等しいので、上段バッフル８の変更後の高さＨ３は、図２に示す下段バッフル９の高さＨ２に等しい。
【００５６】
なお、この上段バッフル８の高さＨ１から高さＨ３への変更作業の際には、対象となる上段バッフル８が取り付けられている辺壁部７が、回転ドラム全体の中で下方に位置し且つ水平になっていることが好ましい。この場合には、高さ調整ピン１２を両方取り外した状態でも、ピン受け部８ｃが貫通孔７ａ及び取り付けボス１３内に嵌合した状態となるので作業を実施し易い。
【００５７】
以上のように構成された本実施形態のコーティング装置の回転ドラムでは、次のような効果を享受できる。
【００５８】
従来のパンコーティング装置では、図５に示すように、回転ドラムＤが白矢印Ａｈ１で示す方向に回転した場合、粉粒体層Ｇでは、次のような領域が生じる。すなわち、回転ドラムＤの回転によって回転ドラムＤの内面近傍に形成され、矢印Ａｈ２で示す方向に粉粒体が動く輸送領域と、粉粒体層Ｇの表面近傍に形成され、矢印Ａｈ３で示す方向に重力によって粉粒体が動く転落領域と、輸送領域と転落領域との間（粉粒体層Ｇの中央付近）に形成され、粉粒体の動きが緩慢な停滞領域Ｒｓである。この停滞領域Ｒｓでは、粉粒体の動きが緩慢なので、粉粒体層Ｇ全体の混合が不十分となる可能性がある。
【００５９】
これに対して、本実施形態の回転ドラムでは、図２で示すように、上段バッフル８の高さを高い状態とすることによって、バッフルを上段バッフル８と下段バッフル９の２段構成とすることが可能である。下段バッフル９によって、粉粒体層Ｇ（粉粒体の転動層）の停滞領域Ｒｓを撹拌し、粉粒体を移動させることができる。そして、上段バッフル８により、粉粒体の転落領域（表層エリア）を撹拌し、粉粒体の転動（粉粒体の１個ごと反転や回転）を促進し、且つ、粉粒体を移動させることができる。従って、粉粒体層Ｇ全体を最適に撹拌混合することが可能となる。
【００６０】
そして、上段バッフル８の上端８ａの高さＨ１は、下段バッフル９の上端９ａの高さＨ２以上である。これによって、上段バッフル８と下段バッフル９のそれぞれによる粉粒体の移動方向やその他の粉粒体に対する作用に明確な差異を生じさせることができる。すなわち、上段バッフル８と下段バッフル９のそれぞれの混合機能を明確に分離することができる。これによって、粉粒体層を効率的に撹拌混合することが可能となる。
【００６１】
また、上段バッフル８の方が下段バッフル９より混合性能が高いことが実験で分かっているので、上述のように、上段バッフル８の総面積が下段バッフル９の総面積より小さければ、バッフル全体の混合性能を最適にすることが可能である。これにより、極めて均一な混合性が得ることが可能である。
【００６２】
なお、上段バッフル８の形状は、図６に示すように、先端部８ｅが、その他の部分に対して傾斜していてもよい。この傾斜の向きは、粉粒体が処理される時の回転ドラムの回転方向とは反対側（回転方向後方）である。この傾斜角度は、好ましくは２５〜４５°、更に好ましくは３０〜４５°である。この上段バッフル８の他の部分については、図３で説明したものと同様なので説明を省略する。
【００６３】
このように先端部８ｅが傾斜した上段バッフル８を使用すると、処理中の粉粒体が先端部８ｅに垂直に衝突することを抑制し、粉粒体が割れたり欠けたりすることを抑制することができる。しかし、先端部８ｅの傾斜角度が２５°より小さい場合、或いは傾斜角度が４５°より大きい場合には、この効果が十分に得られない可能性がある。
【００６４】
また、先端部８ｅが傾斜した上段バッフル８を使用すると、粉粒体の排出時（回転ドラムの逆回転時）に、この先端部８ｅが粉粒体をすくう作用をなす。この作用により、先端部８ｅが、効率良く下段バッフル９の基端部側に粉粒体を案内するので、時間当たりの粉粒体の排出量が増加し、排出工程時間の短縮につながる。しかし、先端部８ｅの傾斜角度が３０°より小さい場合には、このすくう作用が十分に得られない可能性がある。
【００６５】
また、本実施形態のコーティング装置の回転ドラムでは、辺壁部７の内面からの上段バッフル８の上端８ａの高さを回転ドラムの外部から調整することが可能である。従って、この上段バッフル８の高さの調整によって、上段バッフル８の高さを粉粒体量に対応させることができる。これにより、粉粒体の仕込み量に拘わらず、最適な混合性を実現することができる。
【００６６】
また、上段バッフル８の下端８ｂの高さが、下段バッフル９の上端９ａの高さ以上であるので上段バッフル８と下段バッフル９の機能が分離されている。従って、上段バッフル８の下端８ｂの高さが、下段バッフル９の上端９ａの高さ以上であるという条件で、上段バッフル８の高さを変更しても、上段バッフル８の混合性能に対する下段バッフル９の影響は少なく、上段バッフル８の混合性能の変化が少ない。従って、粉粒体の混合に関するその他の条件を調整する必要が少なく、その結果、粉粒体量の増減に対する許容幅を大きくすることができる。
【００６７】
また、この上段バッフル８の高さの調整は、回転ドラムの外部から実施することができるので、この調整のために人が回転ドラムの中に入る必要が無い。従って、上段バッフル８の高さ調整のための作業が容易となり、一人でも作業ができ、また、作業時間を短いものとすることができる。また、上段バッフル８の高さ調整のための作業の後に洗浄を行なう必要が無いので、この洗浄に要する時間やコストも不要となる。
【００６８】
また、上段バッフル８と下段バッフル９の２段のバッフル構成であるので、上段バッフル８のみを高さ調整可能とすれば、下段バッフル９の高さを調整する必要が無い。従って、高さ調整手段１１を全てのバッフル８、９に設けなくても良く、また、高さ調整作業を全てのバッフル８，９に対して実施する必要がなくなるので、コスト削減や作業効率向上が可能である。
【００６９】
また、本実施形態では、高さ調整ピン１２を交換することによって、上段バッフル８の高さを調整するので、上段バッフル８の高さを大きく変更することが可能である。
【００７０】
以上のように構成された回転ドラムをスケールアップする設計方法としては、例えば、図７に示すように回転ドラムの周壁部２をその軸線方向に拡張する設計方法を適用することができる。図７に例示する周壁部２には、周方向に全周に亘って延びる単位領域Ｕが軸線方向に３個配列されている。各単位領域Ｕにおけるバッフル（上段バッフル８、下段バッフル９）の配置、形状及び寸法が、単位領域Ｕの間で相互に同一である。ここで、配置とは、少なくとも、位置、向き、数を含む概念である（以下、同じ）。
【００７１】
ただし、本実施形態では、単位領域Ｕは、軸線方向の一端の単位領域Ｕから他端の単位領域Ｕに移行するに従って、順次、周方向の一方に等距離でずれている。例えば、図７に点線で示すように、一番上の単位領域Ｕの周方向位置Ｅに対して、真ん中の単位領域Ｕにおける対応する周方向位置Ｅは、左に辺壁部７の４つ分ずれており、一番下の単位領域における対応する周方向位置Ｅは、真ん中の単位領域Ｕの周方向位置Ｅより更に左に辺壁部７の４つ分ずれている。なお、本実施形態では、単位領域Ｕが、軸線方向に連続して配列されているが、バッフルが配置されていない領域を介して配列されてもよい。
【００７２】
そして、図７の周壁部２の単位領域Ｕにおけるバッフル（上段バッフル８、下段バッフル９）の配置、形状及び寸法は、図１に示す周壁部２の単位領域Ｕと同一である。つまり、図７に示す回転ドラムは、図１に示す周壁部２を単位領域Ｕとして、単位領域Ｕの周壁部２における軸線方向配列の数を１つから３つに変更することによって、図１に示す回転ドラムをスケールアップしたものである。この回転ドラムのスケールアップによって、周壁部２は、軸線方向に３倍にスケールアップし、これに伴い、回転ドラムの処理容量は約３倍となる。
【００７３】
このように、単位領域Ｕを有する回転ドラムでは、この単位領域Ｕの軸線方向の配列数を増加することによってスケールアップをする設計方法を適用できる。この設計方法では、単位領域Ｕの配列数に比例して回転ドラムの処理容量を増加させることができる。一方で、単位領域Ｕで混合される粉粒体量はほとんど変化しないので、粉粒体の混合性は略同一となる。すなわち、この設計方法によれば、混合性が変化することを抑制しつつ回転ドラムをスケールアップすることができる。
【００７４】
従来採用されていた回転ドラムを相似形で寸法を拡大してスケールアップする設計方法では、混合性が低下し、これによりコーティングむらが発生することがあった。また、圧密増加による摩損等が発生することもあった。本発明の設計方法では、このような諸問題を起こさず、極めて容易にスケールアップが可能である。
【００７５】
また、図８に示すように、スケールアップ後における単位領域Ｕ当りのスプレーノズルＮの数（図示例では１つ）を、単位領域Ｕの間で同一とし、且つ、このスプレーノズルＮの数を、スケールアップ前における単位領域Ｕ当りのスプレーノズルＮの数と同一とすることが好ましい。これにより、単位領域Ｕ当りのスプレー面積を、スケールアップの前後で略同じとすることが可能となり、スプレーノズルＮの設計変更等を不要とすることができる。また、同様に、単位領域Ｕに対するスプレーノズルＮの噴霧方向や噴霧位置も、スケールアップ前後で同一とすることが更に好ましい。
【００７６】
また、上述のように単位領域Ｕが周方向にずれて配列されているため、図７に示すように、下段バッフル９は、単位領域Ｕの間で、連続している。また、例えば二点差線で囲んで示すように、下段バッフル９を挟んで配設された一対の上段バッフル８が、下段バッフル９に沿って、等間隔に並んでいる。仮に、単位領域Ｕを更に追加して、同様にずらして配列させても、下段バッフル９は連続し、下段バッフル９に沿って、一対の上段バッフルが等間隔に並ぶ。このように、本実施形態の単位領域Ｕを使用したスケールアップ方法では、軸線方向に同一の態様のバッフル配置が連続的に繰り返される。別の観点では、下段バッフル９を基準にみた場合、上段バッフル８と下段バッフル９は、軸線方向に螺旋状に連続的に配設されている。
【００７７】
従って、図７に示すスケールアップした回転ドラムは、周方向で見た場合にも、軸線方向で見た場合にも略均一のバッフル８，９の配置となっている。このため、スケールアップ後の回転ドラムにおいて、混合性を良好とするために、奥行き方向（軸線方向）に、粉粒体を循環させたり、移動させたりすることが重要（必要）でなくなる。従って、上段バッフル８と下段バッフル９のそれぞれの構造は、微小なエリアで個々の粉粒体を混合したり転動したりすることを重視したものとすることができる。また、回転ドラムの奥行き方向全体での粉粒体の大循環や大移動が不要になることで、粉粒体に大循環や大移動のためのエネルギーを付与する必要が無くなり、微小なエリア内の粉粒体の混合及び転動のためにエネルギーを有効に利用することができる。換言すれば、混合力向上のためにエネルギーをより多く付与する必要がなくなるため、粉粒体に余分なストレスを与えずに済む。
【００７８】
また、下段バッフル９が、単位領域の間で、連続しているので、回転ドラムから粉粒体を排出する時に、回転ドラムの軸線方向の奥側（底壁部側）の粉粒体が下段バッフル９によってスムーズに排出プレート１０まで移動する。従って、回転ドラムからの粉粒体の排出時間を短縮できる。
【００７９】
ここでは、回転ドラムをスケールアップする場合を説明したが、単位領域Ｕの軸線方向の配列数を減少させることによって、例えば図７に示す回転ドラムを図１に示す回転ドラムにスケールダウンさせてもよい。
【００８０】
ところで、図７において、周壁部２における軸線方向の両端の領域Ｙ（最も軸辺方向両端側の上段バッフル８と端壁部５，６との間の領域）では、端壁部５，６との干渉を回避するため、下段バッフル９における領域Ｙに存在する部分を省略することがある。この場合には、単位領域Ｕの軸線方向両端から領域Ｙと同等の領域を除いた単位領域Ｕ’が、軸線方向に３つ配列されているとみなすことができる。各単位領域Ｕ’におけるバッフル（上段バッフル８、下段バッフル９）の配置、形状及び寸法は、単位領域Ｕ’の間で相互に同一である。
【００８１】
また、図９に示すように、周壁部２を、単位領域Ｕを軸線方向に２．５個分配列することによって構成することも考えられる。この場合、一番上の単位領域Ｕの周方向位置Ｅに対して、一番下の単位領域における対応する周方向位置Ｅは、左に辺壁部７の６つ分ずれている。そして、この場合、単位領域Ｕを軸線方向中央で２分割することによって形成される単位領域Ｕ”が、軸線方向に５つ配列されているとみなすことができる。各単位領域Ｕ”におけるバッフル（上段バッフル８、下段バッフル９）の配置、形状及び寸法は、単位領域Ｕ”の間で相互に同一である。そして、単位領域Ｕ”は、軸線方向の一端の単位領域Ｕ”から他端の単位領域Ｕ”に移行するに従って、順次、周方向の一方に辺壁部７の２つ分ずれている。
【００８２】
本発明は、上記実施形態に限定されず、その技術的思想の範囲内で様々な変形が可能である。例えば、上記実施形態では、高さ調整手段１１で高さ方向に沿って上段バッフル８の位置を変更することによって、上段バッフル８の高さを調整していたが、次に説明するように、高さ調整手段１１でバッフルを高さ方向に対して傾斜させることによって、バッフルの高さを調整するようにしてもよい。
【００８３】
図１０〜１２に示す第１変形例でも、バッフル１５は、平板状で、辺壁部７に対して垂直に配設されている。バッフル１５の高さ調整手段１１が、辺壁部７に揺動自在に支持される揺動軸１６を有し、この揺動軸１６にバッフル１５を支持する一対の支持棒１７が取り付けられている。詳述すれば、揺動軸１６は、辺壁部７の一部として辺壁部７に固定された基板１８の内側に設けられた凹部１８ａにその外周面が揺動自在に支持される。基板１８の外側には、部分円柱状の取り付け部１８ｂが設けられる。そして、支持棒１７は、基板１８とその取り付け部１８ｂに形成された長孔の貫通孔１８ｃを揺動自在に挿通し、その一端はバッフル１５に固定される。支持棒１７の他端には、雄ネジが形成され、この雄ネジにカバー部材１９を介してナット２０の雌ネジが螺合されることによって、支持棒１７の他端が取り付け部１８ｂの外周に着脱自在に装着される。
【００８４】
この変形例では、ナット２０を緩め、図１１に白矢印で示すように、バッフル１５と支持棒１７とを、揺動軸１６を介して辺壁部７に対して回動させた後、ナット２０を締めて、バッフル１５を高さ方向に対して傾斜させる。これにより、辺壁部７の内面からのバッフル１５の上端１５ａの高さが変更される。
【００８５】
次に、図１３〜１５に示す第２変形例では、図１０〜１２に示す第１変形例と主に次の点で異なる。揺動軸１６は、辺壁部７の内側に固定された軸支持部２１に設けられた凹部２１ａにその外周面が揺動自在に支持される。そして、支持棒１７は、辺壁部７に形成された長孔の貫通孔７ｂを揺動自在に貫通し、その一端はバッフル１５に固定される。支持棒１７の他端には、雄ネジが形成され、この雄ネジにナット２０の雌ネジが螺合されることによって、支持棒１７の他端が辺壁部７の外側に着脱自在に装着される。図１３では、バッフル１５は、垂直方向に沿っており、図１５（Ａ）に示すように、高さ方向に対して傾斜していない。
【００８６】
この変形例では、バッフル１５を高さ方向に対して傾斜させるために、辺壁部７や支持棒１７に対して着脱自在な図１４に示す取り付け部材２２を使用する。この取り付け部材２２には、辺壁部７に当接する取り付け面２２ａに対して所定の傾斜角度を有する一対の貫通孔２２ｂと、貫通孔２２ｂに対して垂直な面２２ｃとが設けられている。この取り付け部材２２の一対の貫通孔２２ｂは、一対の支持棒１７が挿通可能になるように設定されている。
【００８７】
この変形例では、次のように、バッフル１５を高さ方向に対して傾斜させる。図１５（Ａ）に示す状態（バッフル傾斜角度０°）から、ナット２０を取り外した後、取り付け部材２２の貫通孔２２ｂに支持棒１７を挿通し、ナット２０を取り付けて面２２ｃに当接させる。これにより、バッフル１５が高さ方向に対して傾斜させられ、図１５（Ｂ）に示す状態（バッフル傾斜角度３０°）となり、辺壁部７の内面からのバッフル１５の上端の高さが変更される。取り付け面２２ａに対して異なる傾斜角度の貫通孔２２ｂを有する取り付け部材２２を使用すれば、図１５（Ｃ）（バッフル傾斜角度４５°），図１５（Ｄ）（バッフル傾斜角度６０°）のように、バッフル１５の傾斜角度を変更可能である。このように、バッフル１５は傾斜角度が変更され、その上端１５ａの辺壁部７の内面からの高さが変更される。
【００８８】
図１６〜１８に示す第３変形例では、図１０〜１５に示す第１，第２変形例と主に次の点で異なる。揺動軸１６は、辺壁部７の外側に固定された一対の軸支持部２１に設けられた凹部２１ｂにその軸端が揺動自在に支持される。そして、支持棒１７は、辺壁部７に形成された長孔の貫通孔７ｃを揺動自在に貫通し、その一端はバッフル１５に固定され、他端は揺動軸１６に固定される。揺動軸１６の両端面には、片面ごとにネジ穴１６ａ〜１６ｃが設けられている（図１８参照）。このネジ穴１６ａ〜１６ｃは、全て軸芯からの距離は同じで、相互に成す中心角は９０°である。一方で、一対の軸支持部２１のそれぞれには、貫通孔２１ｃ〜２１ｆが設けられている。図１６では軸支持部２１の貫通孔２１ｃを介してネジ穴１６ａにボルト２３が螺合されている（図１８（Ａ）に示すバッフル傾斜角度０°の状態）。
【００８９】
この変形例では、バッフル１５を高さ方向に対して傾斜させるために、ボルト２３が挿通される軸支持部２１の貫通孔２１ｃ〜２１ｆと、ボルト２３が螺合されるネジ穴１６ａ〜１６ｃを変更する。例えば、ボルト２３を、貫通孔２１ｄを介してネジ穴１６ｂに螺合した場合、図１８（Ｂ）に示すように、バッフル１５は３０°傾斜する。また、ボルト２３を、貫通孔２１ｅを介してネジ穴１６ｃに螺合した場合、図１８（Ｃ）に示すように、バッフル１５は、４５°傾斜する。更に、ボルト２３を、貫通孔２１ｆを介してネジ穴１６ａに螺合した場合、図１８（Ｄ）に示すように、バッフル１５は、６０°傾斜する。このようにして、本変形例では、辺壁部７の内面からのバッフル１５の上端１５ａの高さが変更される。
【００９０】
更に、本発明では、次に説明するように、高さ調整手段１１が、一端が回転ドラムの外側に着脱自在に装着され、回転ドラムの壁部を進退自在に貫通するバッフルを有し、このバッフルを高さの異なるバッフルに交換することによって、バッフルの高さを調整してもよい。
【００９１】
図１９（Ａ）に示す第４変形例では、高さ調整手段１１は、バッフル２４を有する。
辺壁部７には長穴の貫通孔２５が設けられている。バッフル２４は、この貫通孔２５を介して、辺壁部７に進退自在である。バッフル２４の一端には、取り付け部２４ａが設けられており、この取り付け部２４ａが、例えばボルト等の固定手段（図示省略）によって、辺壁部７の外面に固定される。
【００９２】
辺壁部７の内面からのバッフル２４の上端２４ｂの高さを変更する場合には、取り付け部２４ａの固定を解除して、バッフル２４を辺壁部７から外す。次に、図１９（Ｂ）に示す高さの異なるバッフル２４を、辺壁部２４の貫通孔２５に挿通し、このバッフル２４の取り付け部２４ａを辺壁部７の外面に固定する。このバッフル２４の交換作業も、全て辺壁部７（回転ドラム）の外部から行なうことができる。
【００９３】
以上の説明では、本発明を、いわゆるジャケットレス構造のパンコーティング装置に適用したが、これに限定されるものでなく、回転ドラムが水平の軸線回りに回転駆動されるコーティング装置であればよい。例えば、ジャケットが装着される回転ドラムを備えたコーティング装置に適用してもよい。
【符号の説明】
【００９４】
１      側壁部
２      周壁部
７      辺壁部
８      上段バッフル
１５，２４    バッフル
Ｕ      単位領域
【図１】
2014004528.tif 000003
【図２】
2014004528.tif 000004
【図３】
2014004528.tif 000005
【図４】
2014004528.tif 000006
【図５】
2014004528.tif 000007
【図６】
2014004528.tif 000008
【図７】
2014004528.tif 000009
【図８】
2014004528.tif 000010
【図９】
2014004528.tif 000011
【図１０】
2014004528.tif 000012
【図１１】
2014004528.tif 000013
【図１２】
2014004528.tif 000014
【図１３】
2014004528.tif 000015
【図１４】
2014004528.tif 000016
【図１５】
2014004528.tif 000017
【図１６】
2014004528.tif 000018
【図１７】
2014004528.tif 000019
【図１８】
2014004528.tif 000020
【図１９】
2014004528.tif 000021